(57)【要約】【課題】炊飯蓋の構成を特有とすることによって、粥飯炊飯を円滑に行い、併せて洗米タンクの結露の防止を図る。【解決手段】洗米タンク５の下方に炊飯釜３１を備え、炊飯蓋３２の主体部３２ａと開閉部３２ｂとの間にはヒンジ３４，３４を設け、炊飯釜３１に炊飯蓋３２を装着した状態で開閉部３２ｂを開閉可能に設ける。また、炊飯蓋３２の主体部３２ａに、洗米タンク５から落下供給される米及び水加減水を炊飯釜内に供給するための供給孔３２ｈを形成し、供給孔３２ｈを開閉するスライドシャッタ３３を設け、開閉部３２ｂをスライドシャッタ３３の前側に設けてなる。さらに、供給孔３２ｈ及びスライドシャッタ３３の前側位置において開閉部３２ｂを起立姿勢で保持する保持手段３６を備える。【選択図】  図１５
2020000810.tif 000002
【特許請求の範囲】
【請求項１】
洗米タンク（５）の下方に炊飯釜（３１）を備え、前記炊飯釜（３１）に炊飯蓋（３２）を装着した状態で前記炊飯蓋（３２）の一部を開閉可能とする開閉部（３２ｂ）を設けたことを特徴とする洗米炊飯装置。
【請求項２】
前記炊飯蓋（３２）の主体部（３２ａ）に、前記洗米タンク（５）から落下供給される米及び水加減水を前記炊飯釜（３１）内に供給するための供給孔（３２ｈ）を形成し、前記供給孔（３２ｈ）を開閉する供給孔開閉手段（３３）を設け、前記開閉部（３２ｂ）を前記供給孔開閉手段（３３）の前側に設けてなる請求項１に記載の洗米炊飯装置。
【請求項３】
前記炊飯蓋（３２）の前記主体部（３２ａ）と前記開閉部（３２ｂ）との間にはヒンジ（３４，３４）を設け、前記開閉部（３２ｂ）に取っ手（３５）を設ける請求項２に記載の洗米炊飯装置。
【請求項４】
前記供給孔（３２ｈ）を開閉する前記供給孔開閉手段（３３）は案内レール（３３ａ）に沿ってスライドするスライドシャッタ（３３）とし、前記開閉部（３２ｂ）の前記ヒンジ（３４，３４）による回動軸芯が前記スライドシャッタ（３３）のスライド方向に沿うよう構成し、前記供給孔（３２ｈ）及び前記スライドシャッタ（３３）の前側位置において前記開閉部（３２ｂ）を起立姿勢で保持する保持手段（３６）を備える請求項３に記載の洗米炊飯装置。
【請求項５】
平面視円形を呈する前記洗米タンク（５）の外周部又は前記外周部よりも外側位置の下方において前記開閉部（３２ｂ）を起立姿勢で保持する構成とする請求項４に記載の洗米炊飯装置。
【発明の詳細な説明】
【技術分野】
【０００１】
本発明は、要求量の炊飯を行うようにした洗米炊飯装置に関し、特に、所要の水加減による軟飯や粥飯等の炊飯に適した炊飯釜に関するものである。
【背景技術】
【０００２】
洗米部と炊飯部を備えた洗米炊飯装置において、標準の炊飯に対して水加減水の多い粥飯炊飯を可能にした技術がある（特許文献１）。
【０００３】
粥飯炊飯は多量の水加減水を使用するので炊飯釜の蓋から吹きこぼれる炊飯液で炊飯釜や加熱用ガス台部分に付着して汚損する恐れがあるため、水加減水が極端に多い軟飯炊きや粥飯炊きの際に、大量の炊飯液が炊飯蓋の圧抜孔から吹き出して流下しても高く形成した外周壁による液溜まり部Ａに貯留できるようにし、さらに戻し孔を形成し炊飯釜の内部に還流できるよう構成したものがある（特許文献２）。
【先行技術文献】
【特許文献】
【０００４】
【特許文献１】特開平１１−１９７００９号公報
【特許文献２】特開２００５−１６８５３７号公報
【発明の概要】
【発明が解決しようとする課題】
【０００５】
特許文献２によると、水加減水が極端に多い軟飯炊きや粥飯炊きであっても、炊飯釜は吹きこぼれが防止できて衛生面で向上が図れ、炊飯釜や加熱用ガス台部等の汚損が防止できる効果があるが、なお、吹きこぼれる炊飯液の処理のために炊飯釜に各別の構成を必要とする。
【０００６】
この発明は、炊飯蓋の構成を特有とすることによって、粥飯炊飯を円滑に行い、併せて洗米タンクの結露の防止を図る。
【課題を解決するための手段】
【０００７】
この発明は、上記課題を解決すべく次のような技術的手段を講じた。
【０００８】
請求項１に記載の発明は、洗米タンク５の下方に炊飯釜３１を備え、炊飯釜３１に炊飯蓋３２を装着した状態で炊飯蓋３２の一部を開閉可能とする開閉部３２ｂを設ける。
【０００９】
請求項２に記載の発明は、請求項１記載の発明において、炊飯蓋３２の主体部３２ａに、洗米タンク５から落下供給される米及び水加減水を炊飯釜内に供給するための供給孔３２ｈを形成し、供給孔３２ｈを開閉する供給孔開閉手段３３を設け、開閉部３２ｂを供給孔開閉手段３３の前側に設けてなる。
【００１０】
請求項３に記載の発明は、請求項２に記載の発明において、炊飯蓋３２の主体部３２ａと開閉部３２ｂとの間にはヒンジ３４，３４を設け、開閉部３２ｂに取っ手３５を設ける。
【００１１】
請求項４に記載の発明は、請求項３に記載の発明において、供給孔３２ｈを開閉する供給孔開閉手段３３は案内レール３３ａに沿ってスライドするスライドシャッタ３３とし、開閉部３２ｂのヒンジ３４，３４による回動軸芯がスライドシャッタ３３のスライド方向に沿うよう構成し、供給孔３２ｈ及びスライドシャッタ３３の前側位置において開閉部３２ｂを起立姿勢で保持する保持手段３６を備える。
【００１２】
請求項５に記載の発明は、請求項４に記載の発明において、平面視円形を呈する洗米タンク５の外周部又は外周部よりも外側位置の下方において開閉部３２ｂ起立姿勢で保持する構成とする。
【発明の効果】
【００１３】
請求項１に記載の発明によると、開閉部３２ｂを開けておくことで、粥飯炊飯中の水蒸気を排出でき、炊飯液の吹きこぼれを防止できる。
【００１４】
請求項２に記載の発明によると、請求項１に記載の効果に加え、作業者の手元に近い位置に開閉部３２ｂが配置されるから開閉部３２ｂの開閉操作が容易である。
【００１５】
請求項３に記載の発明によると、請求項２に記載の効果に加え、開閉部３２ｂの構成を簡素化し、開閉操作は容易である。
【００１６】
請求項４に記載の発明によると、請求項３に記載の効果に加え、蒸気が起立姿勢に保持された開閉部３２ｂに沿って上昇するが洗米タンク５の特に下部外面に上昇蒸気が接触し晒されることが少ない。従って、蒸気に接触すると洗米タンク５部に結露が発生し米が付着残留する傾向となるが、このような不具合を防止できる。
【００１７】
請求項５に記載の発明によると、請求項４に記載の効果に加え、平面視円形を呈する洗米タンク５の外周部又はこの外周部よりも外側位置の下方に開閉部３２ｂの回動軸芯を設けることによって、立ち上がる蒸気は起立姿勢の開閉部３２ｂに案内されることにより洗米タンク５のほぼ全体は蒸気に晒されることが無くなって、洗米タンク５のほぼ全体に渡って上記結露による米の付着残留を少なくできる。
【図面の簡単な説明】
【００１８】
【図１】本発明の洗米炊飯装置の正面図である。
【図２】洗米炊飯機の側面図である。
【図３】洗米炊飯機の正断面図である。
【図４】貯米タンクと洗米タンクの斜視図である。
【図５】貯米タンクと洗米タンクの平面図である。
【図６】計量部の側断面図である。
【図７】ドラムケースの断面図である。
【図８】（ａ）作用状態を示す側面図、（ｂ）作用状態を示す平面図である。
【図９】（ａ）（ｂ）操作パネルの正面図である。
【図１０】投下アームの作用状態を示す正面図である。
【図１１】水加減工程フローチャートである。
【図１２】炊飯工程フローチャートである。
【図１３】洗米タンク容量と水加減量との関係を示す説明図である。
【図１４】洗米炊飯機の全体の制御フローチャートである。
【図１５】（ａ）炊飯蓋の平面図、（ｂ）炊飯蓋の側面図である。
【図１６】（ａ）ヒンジ一例を示す平面図、（ｂ）ヒンジ一例を示す分解斜視図である。
【図１７】拡張表示画面一例である。
【図１８】(ａ)通常炊飯モードの炊飯量−水加減水量の関係表一例、（ｂ）粥飯炊飯モードの炊飯量−水加減水量の関係表一例である。
【図１９】炊飯条件設定画面一例である。
【発明を実施するための形態】
【００１９】
本発明の実施の形態について、以下図面に基づいて詳細に説明する。
コ型又は角筒材を縦横に枠組みする支持部材１は、下部にキャスタを備えた長方形状の台枠１ａと、所定幅及び所定高さの左右支柱１ｂ，１ｂと、左右支柱１ｂ,１ｂ間に支架した複数の横桟１ｃ，１ｃ…により構成されている。
【００２０】
上記横桟１ｃには各機材を装着すべく平板状の仕切り部材３を設け、その上部に貯米タンク４を設け、この貯米タンク４の下方には洗米タンク５を設け、洗米タンク５の下方には、間隔をおいて炊飯装置６を配置する。この炊飯装置６は炊飯釜７、釜加熱用ガス台８と引出式の架台９等から構成されている。図１における架台９引出側を前側、奥側を後側とする。
【００２１】
貯米タンク４は、断面方形状の上部の主タンク４ａと、下部の漏斗状ホッパ部４ｂとからなり、このホッパ部４ｂの下端部に計量ドラムケース１０が取り付けられている。該計量ドラムケース１０内には、円筒状で切欠き部１１を形成したドラム部１１ａと、前後の側壁部１２ａ,１２ｂとからなる計量ドラム１３を設け、該前後の側壁部１２ａ,１２ｂを貫通すべく横軸１４によって回転自在にドラムケース１０に支持している。またこの軸１４を直接連動すべくドラムケース１０の後面側にモータ１５を装着し、貯米タンク４から切欠き部１１を介して計量ドラム１３に一定量ずつ流下した米が充填され、回転によって切欠き部１１位置が下方に反転してドラムケース１０に形成した排出口１６に至ると計量ドラム１３から流下排出される構成である。
【００２２】
前記仕切り部材３には排出口１６に対応する開口１７を備え、上記計量ドラム１３を所定回転数だけ回転させることで、所定量の米を貯米タンク４から洗米タンク５に繰り出すよう構成されている。又、その繰り出し回数をカウントする回転センサ（図示せず）の検出によって所定量を供給できる構成としている。
【００２３】
上記ドラムケース１０と漏斗状ホッパ４ｂとは、一体的に構成され、上部の主タンク４ａを取り外した後、このホッパ４ｂとドラムケース１０との一体物は、仕切り部材３から外すことができるよう構成される。即ち、後方側は仕切り部材３に形成したフック状部１８にドラムケース１０の係合凸状部１９を係脱可能に係合部２０を設け、前方側にはこれら仕切り部材３とドラムケース１０との間に螺子で着脱固定自在の着脱係合ステー２１を設け、螺子２２を緩めてステー２１を螺子部中心に回動することにより、ドラムケース１０との係合を解く構成である。ドラムケース１０はその下端縁が仕切り部材３の長方形状の開口に嵌合すべく形成されるが、上記の係合ステー２１の係合を外してその側を上方にやや持ち上げて上記下端縁の仕切り部材３からの嵌合を解き、前方から手前方向斜めに引き抜くことによって後方側の下端縁の嵌合を解きつつ係合部２０の係合から解放できる。
【００２４】
前記貯米タンク２及び計量部は、外方をカバー部材２３で覆う構成で、左右側壁及び後側壁は適宜前記仕切り部材３等に固定して設けられ、前側壁２３ａは例えば正面視右側部を支点として開閉可能な扉形態に構成される。従って、前記貯米タンク２やドラムケース１０の点検着脱はこの前側壁２３ａを解放した状態で行える。なお、２４は主タンク４ａを上方から着脱自在に施蓋する方形の覆板である。
【００２５】
２５は、漏斗状ホッパ部４ｂの一側（図例では前側）に設けた排米用の排出シャッタで、起立姿勢で排米を遮断し、軸支部回りに回動することによって傾斜案内シュート状になり内部の米を排出できる構成としている。
【００２６】
図７は計量ドラム１３部の断面図を示し、漏斗状の下部ホッパ４ｂとドラムケース１０との間に米を傾斜案内するガスケット２６ａ，２６ｂを斜設し、計量ドラム１３外周とドラムケース１０内周との間隔を米の浸入によってもこれを圧砕しない程度の隙間ｔ（例えば約１ｍｍ）を有する構成としている。
【００２７】
前記計量ドラム１３はモータ１５によって一定方向イに回転、停止を繰り返すが、計量ドラム１３の停止位置は図１０の実線にて示す位置としている。即ち、漏斗状ホッパ４ｂの側壁に加振手段（図例では後記空気供給用のポンプ６６としている）を回転後方側ガスケット２６ｂの存在側近傍の傾斜壁に装着して内部の米流動の促進を図る構成とし、併せて計量ドラム１３はその開口端縁が当該加振側ガスケット２６ｂの回転後位にて停止し、他方の開口端縁は非加振側ガスケット２６ａの前位にて停止するようになして、上記加振手段の振動によって入り込もうとする米を計量ドラム１３をもって遮蔽する一方、非加振側では自然に計量ドラム１３内に米を送り込むことにより供給量の精度を安定できる。
【００２８】
洗米タンク５は、図３に示すように、天井部に上記ドラムケース１０から供給される米を案内する受け筒部１３１を備え、中間部に円筒状の胴部と、下部にホッパ状部を持つ構成である、洗米タンク３のホッパ状部の下方にジャケット部１３２を接続し、ホッパ状部とジャケット部１３２との境界部に米粒を漏下させない程度の開口を持つ網状体からなるフィルタ１３３を設けている。
【００２９】
洗米タンク５の中心部には鉛直方向の回転軸１３４を設け、この回転軸１３４には棒状体を逆Ｌ型に折り曲げ成形した複数の攪拌棒１３５,１３５…を、これらの上側端部を軸１３４に溶接等によって取り付ける。回転軸１３４は洗米モータ１３６によりベベルギヤ機構１３７を介して回転され、回転によってタンク内の米と水とを撹拌すべく構成する。
【００３０】
上記回転軸１３４は中空軸であり、内側の軸１３８は外側の中空軸１３４の内部に上下摺動自在に遊嵌されていて、下方に延出するこの軸１３８の下端に着脱自在に円錐形状の排米弁１３９を設ける。該軸１３８の上端を排米弁駆動用モータ１４０で駆動するカム１４１、後記投下アーム等の連動機構により上下動させて、排米弁１３９の開閉制御がなされる構成である。排米弁１３９が開くと、洗米タンク５内の米は下方の炊飯装置６の内釜中に落下するよう構成する。
【００３１】
洗米タンク５への水の供給は水道蛇口に連通する主配水管１４６、上側給水弁１４７及び２連の可撓性の上給水管１４８,１４８、洗米タンク５の天井部の上部給水口１４９,１４９を経由する上側給水ルートと、上記主配水管１４６から分岐して下側給水弁５０、配水管５１、下部給水口５２からジャケット部１３２を経由する下側給水ルートの２系統で行われる。なお各給水ルートには流量センサを備えている。
【００３２】
即ち、前記ドラムケース１０近傍で仕切り部材３をベースにして、主配水管１４６に通じる２本の上給水管１４８,１４８を配設すると共に、仕切り部材３を貫通状に設ける配水管５１には下給水管５３を接続している。
【００３３】
５５は前記電動モータ１５と連繋して排出口１６を開閉動するシャッタで、モータ１５の回転をリンク機構５６,５７を介してシャッタ支軸５８部に連結しドラム開口部が排出口１６に一致するときシャッタ５５開状態となるよう連動構成している。このため、常時はシャッタ５５は閉じ姿勢にあり、洗米タンク３における洗米途中での拡散水の飛散を防いで計量ドラム１３内の水の浸入を防止している。
【００３４】
なお、上記の上給水管１４８,１４８は平面視において、左右中央線上に位置すべく配置され、この位置は後記の洗米タンク５の平面視左右中央線上に当たるものである。また、この上給水管１４８,１４８の配置される位置よりも左側にドラムケース１０が位置し、右側には後記の排米弁１３９用モータ１４０及び撹拌棒１３５,１３５…駆動用洗米モータ１３６を配置している。
【００３５】
洗米タンク３の下部後方には排水箱６０が設けられる。排水口６１を有した排水箱６０は、上端が洗米タンク３の上部側面に開口するオーバーフロー管６２の下端部と、一端部が前記ジャケット部１３２に連通するジャケット部１３２の他端部とが接続されている。ジャケット部１３２からの排水は排水弁６４の開閉で行われ、水位弁６５で排水しながら洗米タンク５内の水位を調整する。
【００３６】
常時、排水箱６０は排水弁６４及び水位弁６５で閉鎖されているが、洗米タンク５内の水を排水する場合には、ジャケット部１３２のフィルタ１３３から、排水弁６４及び／または水位弁６５、排水箱６０及び排水口６１を経て排水される。排水弁６４及び水位弁６５は適宜の開閉出力によって開閉する。また、洗米タンク３内上部には洗米タンク５内の水量を検出する電気接点付きフロートセンサ６８を備えている。
【００３７】
前記洗米タンク５への水の供給は、洗米タンク５の天井部の上部給水口１４８を経由する上部給水ルートと、下部給水口５１からジャケット部１３２を経由する下部給水ルートの２系統で行われる構成とするが、下部給水ルートの下給水管５２に並列して、ポンプ６６に連通して空気を噴出する空気噴出管６７を配置し、下部給水ルートの水と並列して空気を併せてジャケット部１３２内に噴出する構成としており、下部給水管５２、空気噴出管６７は、それぞれ図８（ｂ）において、ジャケット部１３２の中心より偏芯した位置に設けられ、空気と水が混合された旋回流が生じやすくしている。
【００３８】
そして、洗米タンク５での洗米作業時には、洗米タンク５内の回転軸１３４に設けられている大小の攪拌棒１３５，１３５…の回転方向と、下部給水ルートからの水噴出方向及び空気噴出管６７からの空気噴出方向を互いに逆方向となるように構成している。
【００３９】
洗米作業時には、攪拌棒１３５，１３５…を、図８（ｂ）に示すように、反時計方向に回転させ、下部給水ルートからの水及び空気噴出管６７の空気の噴出方向を時計方向に回転するように噴出させる。すると、洗米タンク５内の特に底部近傍において、米は攪拌棒１３５，１３５…による撹拌と共に、空気の噴出により気泡が生じて気泡洗米状態となって、高い洗米効果を得ることができる。
【００４０】
次に、炊飯装置の操作について説明する。
【００４１】
まず、図外コンピュータの制御部に、炊飯量、洗米時間（攪拌棒１３５の回転時間）、研米時間（攪拌棒１３５の回転時間）、洗米タンク乃至釜内での浸漬時間などの炊飯装置稼働に必要な条件を前記カバー部材２３の正面側扉部に配設した操作パネル（操作表示装置）７０により設定するよう構成する。
【００４２】
図９には、上記操作パネル（操作表示装置）７０のスイッチカバー７１を閉じた状態（図９（ａ））と開いた状態（図９（ｂ））を示している。この操作パネル７０には、工程表示部７２、予約スイッチ７３、設定スイッチ群７４、スタートスイッチ７５、ヘルプスイッチ７６等が配置され、下方には液晶表示画面７７を備えている。上記工程表示部７２には米の計量、洗米及び浸し（浸漬）からなる予備工程と、釜の準備、浸し（浸漬）、点火、炊飯、むらし、炊き上りからなる炊飯工程を夫々表記し、現在どの工程を実行中であるかを各工程表示部毎に設けたＬＥＤ７８,７８…を点灯して識別できるようにし、正常な運転状態では緑色、異常時に赤色の２色に発光するようにして、運転状態を容易に認識できるようにしている。
【００４３】
上記設定スイッチ群７４は、上下左右に「ＵＰ（＋）」「ＤＯＷＮ（−）」及び「送り」の各スイッチを配設してなり、主な設定変更、例えば予定釜数、炊き上がり時刻等の設定を行なえる構成である。
【００４４】
また、操作パネル７０の下部には横軸支点で上下に開閉する上記スイッチカバー７１を有し、図９（ａ）に示す当該カバー７１を閉じた状態では、液晶表示画面７７は通常運転表示画面Ａを表示する。この実施例の形態では累計炊飯回数（炊飯釜数に相当する。以下累計釜数という）、連続して炊飯する回数（以下予定釜数という）、一回の炊飯で処理する容量、炊飯の仕方（モード）、炊飯予備工程と炊飯工程における合計浸漬時間、及び、蒸らし時間を表示している。
【００４５】
また、図９（ｂ）はスイッチカバー７１を開いた状態を示す。該カバー７１にはフォトカプラと反射板とからなるカバー開閉検知手段７９と係止部８０を設け、該カバー７１を開くと、カバー開閉検知手段７９がＯＦＦになり、液晶表示画面７７は通常運転表示画面Ａから即座に炊飯条件を設定できる画面を表示し、以下この画面を炊飯条件設定画面Ｂという。炊飯条件設定画面Ｂは、炊飯量、水加減、洗い方、浸し時間、蒸らし時間、炊飯の仕方（モード）、点火方法の中のいずれかの炊飯条件が設定できる画面であり、各炊飯条件に対応した位置にある設定スイッチ８１,８１…で、その炊飯条件を決めることができるようになっている。８２は操作パネル７０の下方に配置した電源スイッチである。
【００４６】
上記制御部は、次の機能をも併せて備えるものである。即ち、白米を通常の水加減の元に炊飯する通常炊飯モードと水加減量を通常炊飯モードよりも多くし、特有の加熱プログラムに従って炊飯する粥飯炊飯モードとを備え、夫々特有の水加減に設定しうるものとなっている。なお、この通常炊飯モードと粥飯炊飯モードとは、炊飯量Ｓと予め制御部Ｃに設定された所定量Ａとの対比によって自動設定される構成である。そして、粥飯炊飯モードの設定は、炊飯条件設定画面Ｂから図１７に示す拡張設定画面Ｃの「おかゆモード」の選択設定による。拡張設定画面Ｃへの移行は、設定スイッチ群７４の複数スイッチ同時操作による。拡張設定画面Ｃには、「おかゆモード」のほか、「洗米気泡設定」「水加減履歴」等がある。
【００４７】
なお、通常炊飯モードにおける炊飯量Ｓと水加減量との関係一例を図１８（ａ）に、粥飯炊飯モードにおける炊飯量Ｓと水加減量との関係一例を図１８（ｂ）に示す。水加減水の変更は、図１９に示す炊飯条件設定画面Ｂの「水加減」の指定とともに、前記「ＵＰ（＋）」「ＤＯＷＮ（−）」スイッチ７４の押し操作で順次レンジ設定の変更を行いつつ対応して水加減水の量を変更設定できるようになっている。そして、通常炊飯モードにおける水加減のレンジ毎の変更水量は、炊飯量の多少によって異ならせて設定している（図１７、「１レンジの変化水量」）のに対し、粥飯炊飯モードにおけるレンジ毎の変更水量は炊飯量の多少に関わらず一定としている（図１８、「１レンジの変化水量」）。このように、多量の水量を要する粥飯炊飯モードではきめ細かい設定によらず、１レンジ毎一定量の変更とすることにより、設定操作を簡単に行える。
【００４８】
図１９の炊飯条件設定画面Ｂにおいて、「炊飯量」を指定して前記「ＵＰ（＋）」「ＤＯＷＮ（−）」スイッチ７４の押し操作で、例えば０．５ｋｇ単位で増加設定できる構成であるが、図例は、標準炊飯モードの炊飯量３．０ｋｇを表示している。ところで、粥飯炊飯モードに設定しているときは、最大炊飯量が予め設定される構成である。例えば、前記「ＵＰ（＋）」スイッチ７４を順次押し操作すると、「０．５」→「１．０」→「１．５」→「２．０」→「０．５」…のように、「２．０」を超える設定ができないようにして不測の炊飯条件を回避できるよう構成している。なお、最大炊飯量について、炊飯釜７の炊飯量に対応させて、制御部への粥飯炊飯量の最大量を設定記憶するよう構成するとよい。さらに、炊飯釜７の種類を自動判別できる判別手段を設けて最大炊飯量を自動設定できる構成としてもよく、この構成は通常炊飯モードに展開しても便利である。
【００４９】
例えば、所定量Ａとの対比において、設定した炊飯量Ｓが多いときは（Ｓ≧Ａ）、「通常炊飯モード」に設定される。また、この設定した炊飯量Ｓが少ないときは（Ｓ＜Ａ）、「粥飯炊飯モード」に設定される。
【００５０】
上記の「通常炊飯モード」と「粥飯炊飯モード」との相違によって、水加減及び炊飯加熱プログラムが異なり、夫々制御部に記憶されたプログラムに従って制御運転される構成である。例えば、水加減処理については、図１１に示すように水加減処理に入ると、まず所定量Ａ（２升」に設定している）と設定炊飯量Ｓとを比較し（Ｓ１０１）、２升以上のときは通常水加減モードに設定され（Ｓ１０２）、２升未満のときは粥飯水加減モードに設定される（Ｓ１０３）。具体的には洗米タンク５からのオーバフロー状態から水位弁６５で水位調節するための水位弁６５開時間Ｔを各モード用に設定したテーブル乃至は関係グラフに基づいて設定する。通常水加減モードでは、水位弁６５の開時間ＴがＴＳにセットされ（Ｓ１０４）、粥飯水加減モードではＴＮに設定されるものとなる（Ｓ１０５）。このようなモード設定及び水位弁開時間の選定が行われると、排水弁・水位弁の双方が閉じ（Ｓ１０６）、給水が行われる（Ｓ１０７）（本実施例では下給水としているが、上給水であってもよく、上下両同時給水を選択できる構成でもよい）。
【００５１】
やがてオーバーフローセンサ６８がオンするが（Ｓ１０８）、下給水を停止し（Ｓ１０９）水位弁６５を開動作させる（Ｓ１１０）。そしてこの水位弁６５の開に伴なって洗米タンク５から排水し、所定時間経過後これを閉じることによって所望の水位、即ち水加減を得る（Ｓ１１２〜Ｓ１１５）。ここで、通常水加減モードのときは、前記の水位弁開時間としてＴＳを呼び出し（Ｓ１１５）、炊飯量の約１．２倍程度の炊飯水を確保すべくなしている。また、粥飯水加減モードでは水位弁開時間としてＴＮを呼び出す（ＴＳ＜ＴＮ）（Ｓ１１４）。
【００５２】
もって、これらの時間をタイマセットによって管理し、タイマが上記時間の経過を出力すると、タイマアップし水位弁６５は閉じ（Ｓ１１６）、所定の水加減が終了する。
【００５３】
次いで、炊飯工程にいたると、その処理手順について、図１２に示すように、通常炊飯モード設定と粥飯炊飯モード設定とが選択設定される。通常炊飯モードでは通常炊飯用の加熱プログラムに沿って炊飯処理され、粥飯炊飯モードでは後述の加熱プログラムに沿って炊飯処理される。
【００５４】
なお、上記の所定量Ａは、洗米タンク５の最大容量Ｑを勘案して設定する。炊飯量Ｓと必要な水加減量Ｗとは、比例関係にあり、例えばＷ＝ｐＳ＋ｑ（ｐ、ｑは定数）となる。従って、全量ではＳ＋Ｗ＝Ｓ＋ｐＳ＋ｑ＝（１＋ｐ）Ｓ＋ｑである。最大容量Ｑを勘案するときは、Ｑ＜（１＋ｐ）Ｓ＋ｑを満たす炊飯量Ｓの最大値を設定値Ａとするとよい。
【００５５】
また、通常炊飯用水加減の場合と粥飯炊飯用水加減の場合とで、前記定数ｐが相違するため、設定値Ａも当然に相違する。つまり、通常炊飯用水加減量ＷＳと粥飯用水加減量ＷＮとは、ＷＳ＜ＷＮの関係にあり、通常炊飯用の定数ｐ（＝ｐｓ）に対し、粥飯炊飯用の定数ｐ（＝ｐｎ）が数倍と大きいため、設定量Ａは粥飯炊飯用の値が選択される（図１３）。
【００５６】
次に、図１０に基づき排米弁１３９の駆動構成の実施例について説明する。
【００５７】
この排米弁１３９の駆動構成は、排米弁１３９を排米軸１３８から取り外して清掃した後、再び装着するとき、排米軸１３８が上下に摺動しないように固定し、装着し易くするものである。
【００５８】
中空の回転軸１３４内には排米軸１３８が上下摺動自在に遊嵌されていて、排米軸１３８の下端に排米弁１３９を取り付けている。洗米タンク５上部の取付部材にはシーソー状に上下動する投下アーム９２の中間部を軸支し、投下アーム９２の一端を排米軸１３８の上端にピン９３連結し、投下アーム９２の他端部に設けたローラ９４に排米弁駆動用モータ１４０で矢印方向に駆動される投下カム１４１を接動可能に連係し、排米弁１３９を上下動させて洗米タンク５下部開口を開閉する構成である。なお、投下アーム９２の一端側の下方への回動を所定位置で停止させるストッパ９５を設けている。
【００５９】
図１０実線に示す状態では、投下カム１４１の大径部が投下アーム９２のローラー９４に当接し、投下アーム９２の左側ブームを持ち上げ、投下アーム９２を介して排米軸１３８及び排米弁１３９を持ち上げ、排米弁１３９を閉鎖状態としている。次いで、投下カム１４１が更に反時計方向に回動すると、投下アーム９２の左側部を押圧しながら回転し、その大径部がローラー９４から離れると、投下アーム９２の左側が排米弁１３９等の自重により下動し、排米軸１３８も下動し排米弁１３９は開状態となる（図１０仮想線）。
【００６０】
上例の作用について説明する。
【００６１】
電源スイッチ８２をオンにし、操作パネル７０の各操作に従って炊飯条件の設定を行ない、各種の炊飯条件を設定の後、スタートスイッチ７５をオンすると、図１４で示す炊飯フローのように運転開始される。
【００６２】
即ち、まず電源スイッチをオン（ステップ１）後、炊飯条件の設定入力を行い（ステップ２）、スタートスイッチ７５を押すと（ステップ３）、ステップ４で貯米タンク４の米を計量ドラムで計量し、洗米タンク５に設定量の米を供給し、ステップ５で洗米する。
【００６３】
ステップ５の洗米工程は、水をたれ流しながら米を攪拌する糠抜き工程、一旦給水した後水切りし米を湿潤状態で攪拌する研米工程、所定水位で米を攪拌する荒ゆすぎ工程、水をタンクよりオーバーフローしながら攪拌する仕上げゆすぎ工程からなる。
【００６４】
上記ステップ５の洗米工程の次は、ステップ６の水加減処理工程に進む。このステップ６では、図１１のフローに基づき前述の要領で「通常炊飯用水加減モード」または「粥飯炊飯用水加減モード」に設定され、かつ洗米タンク３内の米の量、米の質、気温、水温等に見合った水量をマイクロコンピュータが計算して、洗米タンク５に給水し、洗米タンク５の満水後に、水位弁６５を算出された時間分、即ちＴＳ又はＴＮ「開」して水加減をする。
【００６５】
通常炊飯における水加減は炊飯量の約１．２倍程度であるのに対し、粥飯炊飯における水加減は、炊飯量の約５倍程度の水量を要するから、格段に相違する。炊飯釜に収容しうる量には制限があり、業務用の炊飯機を用いて通常炊飯で５升の炊飯が可能であっても粥飯炊飯は２升以下である。所定量を超えるか否かによって、制御部にて自動的に「通常炊飯用水加減モード」か「粥飯炊飯用水加減モード」かが選択され、それに基づいて所定の水加減を得る構成であるから、作業者の側で通常炊飯又は粥飯炊飯であるかの選択設定操作を不要として操作の簡単化が図れる。
【００６６】
ステップ７では、洗米タンク５内の洗米済の米とステップ３の水加減の計量された水が、排米弁１３９の開閉により炊飯釜７に投下される。
【００６７】
ステップ８では、炊飯釜７内の米は規定時間にわたり水に浸漬される。規定時間経過後に、ステップ９で点火、ステップ１０で炊飯、ステップ１１で蒸らしを行い、ステップ１２で炊き上り、所定の米飯ができあがる。
【００６８】
尚、スタートスイッチ７５をオンする前に、予約スイッチ操作によって予約画面を出力し、炊き上がり時刻等を予約設定することにより予定の時刻に炊きあげることができる。
【００６９】
また上記実施例では、水加減を洗米タンクの満量状態から水位弁６５の開放によって順次減じながら所定水量を確保する形態としたが、この形態に限らず例えば、流量センサを設けて給水量を管理する構成でもよい。
【００７０】
つぎに、炊飯釜７について、粥飯炊飯できる炊飯釜について説明する。図２、図１５及び図１６において、炊飯釜７は、容器３１とその容器３１の本体開口を塞いで中心部が高い中高形状の炊飯蓋３２を着脱可能に備え、この炊飯蓋３２には、中心部に供給孔３２ｈを形成し、この供給孔３２ｈを塞ぐように供給孔開閉手段としてのスライドシャッタ３３を開閉可能に取付ける。
【００７１】
そして、炊飯蓋３２の一部はその主体部３２ａとヒンジ３４，３４を介して開閉自在の開閉部３２ｂに構成されている。この開閉部３２ｂは、前記粥飯炊飯時に開けておくもので、粥飯炊飯中の水蒸気を排出でき、炊飯液の吹きこぼれを防止できる。
【００７２】
前記スライドシャッタ３３は、水平左右方向の案内レール３３ａ，３３ａにそってスライド自在に設けられ、前記供給孔３２ｈを開くことで、洗米タンク５から落下する米や水加減水を炊飯釜３１内に供給できる構成である。
【００７３】
炊飯蓋３２の前記開閉部３２ｂは、前記供給孔開閉手段としてのスライドシャッタ３３の前側、即ち作業員が立って各種操作をする手前側に設ける構成としている。これによって邪魔部材がなく開閉部３２ｂの操作を行い易い。なお、スライドシャッタ３３は、本体側に設けられ、炊飯釜３２の中央のノブ３２ｃを係合する連動アーム３３ｂの左右動制御によって行う構成である。
【００７４】
炊飯蓋３２の前記開閉部３２ｂには取っ手３５を設ける。前記ヒンジ３４，３４部中心に上方に回動操作する際、取っ手３５の存在によって操作を簡単に行うことができる。
【００７５】
また、ヒンジ３４，３４による開閉部３２ｂの回動軸芯は前記スライドシャッタ３３の案内レール３３ａと平行に設けられ、開閉部３２ｂを回動して起立姿勢で保持する保持手段３６を備えている。このように構成すると、粥飯炊飯時、開閉部３２ｂを開くとき起立保持させることができるため、蒸気は開閉部３２ｂに案内されながら立ち上るから洗米タンク５の下部外面に上昇蒸気が接触し晒されることが少ない。この結果、上記の壁面付着を原因とする結露を生じ難く、もって米の付着残留を防止できる。また、平面視円形を呈する洗米タンク５の外周部又はこの外周部よりも外側位置の下方に開閉部３２ｂの回動軸芯を設けることによって、洗米タンク５の外周部又はこの外周部よりも外側位置の下方において開閉部３２ｂを起立姿勢で保持するから、立ち上がる蒸気は起立姿勢の開閉部３２ｂに案内されることにより洗米タンク５のほぼ全体は蒸気に晒されることが無くなって、洗米タンク５のほぼ全体に渡って上記結露による米の付着残留を少なくできる。
【００７６】
前記開閉部３２ｂを起立姿勢で保持する保持手段３６として、ヒンジ３４の回動部に組み込む位置決め制止カラー３６，３６の介在としている。図１６に示すように、ヒンジ３４は、本体部３２ａに連結される固定側ヒンジ部３４ａと、開閉部３２ｂに連結される回動側ヒンジ部３４ｂと、連結ピン３４ｃとを備え、固定側ヒンジ部３４ａの中央環部３４ｄと回動側ヒンジ部３４ｂの端部環部３４ｅ，３４ｅを軸芯を一致させて連結ピン３４ｃで連結するものであるが、中央環部３４ｄと端部環部３４ｅ，３４ｅとの間隔部に、位置決め制止カラー３６，３６を介在させるものである。連結ピン３４ｃは頭部を有した一方に対し他方にはナット止めの構成とし、位置決め制止カラー３６，３６は連結ピン３４ｃによる両ヒンジ部３４ａ，３４ｂの接続時に圧接状態に締結することによって、制止カラー３６，３６に摩擦が作用し、固定側ヒンジ部３４ａに対して回動側ヒンジ部３４ｂは開閉部３２ｂが起立姿勢となる角度の略９０°で保持できる構成としている。また、実施例では、開閉部３２ｂの角度が略９０°よりも小さい任意角度で固定保持できるよう構成している。なお、作業者の取っ手３５による開閉部３２ｂの開閉操作は前記摩擦作用に勝って意図した角度に設定できるものとしている。
【００７７】
上記の実施例では、開閉部３２ｂをヒンジ３４，３４で開閉する構成としたが、炊飯釜３１の前側（手前側）に引き抜きできる挿抜形態としてもよい。
【符号の説明】
【００７８】
５  洗米タンク
３１  炊飯釜
３２  炊飯蓋
３２ａ  主体部
３２ｂ  開閉部
３２ｈ  供給孔
３３  スライドシャッタ（供給孔開閉手段）
３３ａ  案内レール
３４  ヒンジ
３５  取っ手
３６  位置決め制止カラー（起立保持手段）
【図１】
2020000810.tif 000003
【図２】
2020000810.tif 000004
【図３】
2020000810.tif 000005
【図４】
2020000810.tif 000006
【図５】
2020000810.tif 000007
【図６】
2020000810.tif 000008
【図７】
2020000810.tif 000009
【図８】
2020000810.tif 000010
【図９】
2020000810.tif 000011
【図１０】
2020000810.tif 000012
【図１１】
2020000810.tif 000013
【図１２】
2020000810.tif 000014
【図１３】
2020000810.tif 000015
【図１４】
2020000810.tif 000016
【図１５】
2020000810.tif 000017
【図１６】
2020000810.tif 000018
【図１７】
2020000810.tif 000019
【図１８】
2020000810.tif 000020
【図１９】
2020000810.tif 000021